(57)【要約】【課題】カラー通信での差別化。【解決手段】カラーファイル情報を通信可能なファクシミリ装置おいて、受信機から送信機に、色空間Ｌａｂ、ｓＹＣＣでのＪＰＥＧ符号化情報、色空間がＬａｂ、ｓＹＣＣであるフルカラー情報の受信機能の有無を通知する手段、送信機から受信機に、色空間Ｌａｂ、ｓＹＣＣでのＪＰＥＧ符号化情報、色空間がＬａｂ、ｓＹＣＣであるフルカラー情報の送信を指定する手段、外部記憶手段を有し、色空間ｓＹＣＣでのＪＰＥＧフルカラー情報を受信時は、外部記憶手段に受信情報を格納し、１通信の途中で、色空間ＬａｂでのＪＰＥＧフルカラー情報を受信に変更になった時は、受信情報をプリントするとともに、外部記憶手段に同一通信での受信がある旨を表示、あるいは、記録する。【選択図】　　　　図１
2004147149.tif 000002
【特許請求の範囲】
【請求項１】
カラーファイル情報を通信可能なファクシミリ装置おいて、受信機から送信機に、色空間ＬａｂでのＪＰＥＧ符号化情報の受信機能の有無を通知する手段、色空間がＬａｂであるフルカラー情報の受信機能の有無を通知する手段、色空間ｓＹＣＣでのＪＰＥＧ符号化情報の受信機能の有無を通知する手段、色空間がｓＹＣＣであるフルカラー情報の受信機能の有無を通知する手段、送信機から受信機に、色空間ＬａｂでのＪＰＥＧ符号化情報の送信を指定する手段、色空間がＬａｂであるフルカラー情報の送信を指定する手段、色空間ｓＹＣＣでのＪＰＥＧ符号化情報の送信を指定する手段、色空間がｓＹＣＣであるフルカラー情報の送信を指定する手段、外部記憶手段を有し、色空間ｓＹＣＣでのＪＰＥＧフルカラー情報を受信時は、外部記憶手段に受信情報を格納し、１通信の途中で、色空間ＬａｂでのＪＰＥＧフルカラー情報を受信に変更になった時は、受信情報をプリントするとともに、外部記憶手段に同一通信での受信がある旨を表示、あるいは、記録する事を特徴とするファクシミリ装置。
【請求項２】
請求項１において、色空間ＬａｂでのＪＰＥＧフルカラー情報を受信時は、受信情報をプリントし、１通信の途中で、色空間ｓＹＣＣでのＪＰＥＧフルカラー情報を受信に変更になった時は、外部記憶手段に受信情報を格納するとともに、外部記憶手段に同一通信での受信がある旨を表示、あるいは、記録する事を特徴とするファクシミリ装置。
【請求項３】
請求項１、２において、色空間ｓＹＣＣでのＪＰＥＧフルカラー情報を受信時は、外部記憶手段に受信情報を格納し、１通信の途中で、モノクロ情報を受信に変更になった時は、受信情報をプリントするとともに、外部記憶手段に同一通信での受信がある旨を表示、あるいは、記録する事を特徴とするファクシミリ装置。
【請求項４】
請求項１、２、３において、モノクロ情報を受信時は、受信情報をプリントし、１通信の途中で、色空間ｓＹＣＣでのＪＰＥＧフルカラー情報を受信に変更になった時は、外部記憶手段に受信情報を格納するとともに、外部記憶手段に同一通信での受信がある旨を表示、あるいは、記録する事を特徴とするファクシミリ装置。
【請求項５】
請求項１、２、３、４において、通信番号により、受信情報のプリント、及び、外部記憶手段への受信情報の格納の相関を明確にする事を特徴とするファクシミリ装置。
【発明の詳細な説明】
【０００１】
【発明の属する技術分野】
本発明は、ファクシミリ装置、特に、カラー情報を通信可能なファクシミリ装置に関するものである。
【０００２】
【従来の技術】
従来のファクシミリ装置は、モノクロ通信を実行するファクシミリ装置が主流であった。しかしながら、最近は、インクジェットプリンタ、デジタルカメラ、及び、パソコンの普及に伴い、カラー情報が急増してきた。この状況で、カラー通信のニーズは急速に高まってきた。まず、現在のＩＴＵ−Ｔの勧告について説明する。カラー情報の送信はＩＴＵ−Ｔ勧告Ｔ．８２で規定されているＪＰＥＧ符号化にて、ＩＴＵ−Ｔ勧告Ｔ．４２の色空間Ｌａｂでフルカラー情報の送信を実行していた。
【０００３】
また、最近、デジタルカメラで撮影したカラーファイル情報をファクシミリ送信したいニーズが急増している。ここで、デジタルカメラでの色空間は、ｓＹＣＣである。
【０００４】
【発明が解決しようとする課題】
しかしながら、上記、従来例では、色空間ＬａｂのＪＰＥＧ符号化でのフルカラー情報の受信では、受信情報をプリントしていたが、色空間ｓＹＣＣのＪＰＥＧ符号化でのフルカラー情報の受信では、コンパクトフラッシュ（登録商標）カードに受信情報を格納したいというニーズがある。しかしながら、１通信の中で、色空間ｓＹＣＣのＪＰＥＧ符号化でのフルカラー受信情報と色空間ＬａｂのＪＰＥＧ符号化でのフルカラー受信情報を受信した場合の処理が不明確であるという欠点があった。本発明では、この不明確なポイントを明確にする。
【０００５】
【課題を解決するための手段】
第１の本発明によれば、カラーファイル情報を通信可能なファクシミリ装置おいて、受信機から送信機に、色空間ＬａｂでのＪＰＥＧ符号化情報の受信機能の有無を通知する手段、色空間がＬａｂであるフルカラー情報の受信機能の有無を通知する手段、色空間ｓＹＣＣでのＪＰＥＧ符号化情報の受信機能の有無を通知する手段、色空間がｓＹＣＣであるフルカラー情報の受信機能の有無を通知する手段、送信機から受信機に、色空間ＬａｂでのＪＰＥＧ符号化情報の送信を指定する手段、色空間がＬａｂであるフルカラー情報の送信を指定する手段、色空間ｓＹＣＣでのＪＰＥＧ符号化情報の送信を指定する手段、色空間がｓＹＣＣであるフルカラー情報の送信を指定する手段、外部記憶手段を有し、色空間ｓＹＣＣでのＪＰＥＧフルカラー情報を受信時は、外部記憶手段に受信情報を格納し、１通信の途中で、色空間ＬａｂでのＪＰＥＧフルカラー情報を受信に変更になった時は、受信情報をプリントするとともに、外部記憶手段に同一通信での受信がある旨を表示、あるいは、記録する事が可能になった。第２の本発明によれば、第１の本発明において、色空間ＬａｂでのＪＰＥＧフルカラー情報を受信時は、受信情報をプリントし、１通信の途中で、色空間ｓＹＣＣでのＪＰＥＧフルカラー情報を受信に変更になった時は、外部記憶手段に受信情報を格納するとともに、外部記憶手段に同一通信での受信がある旨を表示、あるいは、記録する事が可能になった。
【０００６】
これらにより、１通信の受信の中で、色空間ＬａｂでのＪＰＥＧフルカラー情報を受信、及び、色空間ｓＹＣＣでのＪＰＥＧフルカラー情報を受信をした時、色空間ＬａｂでのＪＰＥＧフルカラー受信情報はプリントでき、色空間ｓＹＣＣでのＪＰＥＧフルカラー受信情報は、外部記憶手段に格納でき再利用が容易になり、しかもこれらの両者の関係が明確になり、ユーザにはとても使い易くなった。
【０００７】
第３の本発明によれば、第１、２の本発明において、色空間ｓＹＣＣでのＪＰＥＧフルカラー情報を受信時は、外部記憶手段に受信情報を格納し、１通信の途中で、モノクロ情報を受信に変更になった時は、受信情報をプリントするとともに、外部記憶手段に同一通信での受信がある旨を表示、あるいは、記録する事が可能になった。第４の本発明によれば、第１、２、３の本発明において、モノクロ情報を受信時は、受信情報をプリントし、１通信の途中で、色空間ｓＹＣＣでのＪＰＥＧフルカラー情報を受信に変更になった時は、外部記憶手段に受信情報を格納するとともに、外部記憶手段に同一通信での受信がある旨を表示、あるいは、記録する事が可能になった。
【０００８】
これらにより、１通信の受信の中で、モノクロ情報を受信、及び、色空間ｓＹＣＣでのＪＰＥＧフルカラー情報を受信をした時、モノクロ情報はプリントでき、色空間ｓＹＣＣでのＪＰＥＧフルカラー受信情報は、外部記憶手段に格納でき再利用が容易になり、しかもこれらの両者の関係が明確になり、ユーザにはとても使い易くなった。
【０００９】
第５の本発明によれば、第１、２、３、４の本発明において、通信番号により、受信情報のプリント、及び、外部記憶手段への受信情報の格納の相関を明確にする事が可能になった。
【００１０】
これにより、１通信の受信の中で、モノクロ情報を受信、あるいは、色空間ＬａｂでのＪＰＥＧフルカラー情報、及び、色空間ｓＹＣＣでのＪＰＥＧフルカラー情報を受信をした時、モノクロ情報、あるいは、色空間ＬａｂでのＪＰＥＧフルカラー情報はプリントでき、色空間ｓＹＣＣでのＪＰＥＧフルカラー受信情報は、外部記憶手段に格納でき再利用が容易になり、しかもこれらの両者の関係を明確にする方法の具体的提供が可能になり、ユーザにはとても使い易くなった。
【００１１】
【発明の実施の形態】
（実施例１）
以下、図面に示す実施の形態に基づいて、本発明を詳細に説明する。
【００１２】
図１には、本発明の実施の形態であるファクシミリ装置がブロック図として図示されている。
【００１３】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１４】
４は、電話機である。
【００１５】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００１６】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００１７】
１０は、発呼回路であり、バス２６からの信号により、電話番号情報を入力し、信号線１０ａにＤＴＭＦの選択信号を出力する。
【００１８】
１２は、加算回路であり、信号線８ａの情報と信号線１０ａの情報を入力し、加算した結果を信号線１２ａに出力する。
【００１９】
１４は、カラー読み取り可能な読取回路であり、読み取りデータをバス２６に出力する。
【００２０】
１６は、カラー記録可能な記録回路であり、バス２６に出力されている情報を順次１ライン毎に記録する。
【００２１】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納するために使用する。
【００２２】
２０は、操作部であり、ワンタッチダイヤル、短縮ダイヤル、テンキー、＊キー、＃キー、スタートキー、ストップキー、セットキー、カラー情報の送信を選択するキー、ファイル情報の送信を選択キー、通信履歴表示選択キー、その他のファンクションキーがあり、押下されたキー情報はバス２６に出力される。
【００２３】
操作部には、表示部があり、バス２６に出力されている情報を入力し、表示する。
【００２４】
２２は、ＣＰＵ（中央処理装置）であり、ファクシミリ全体の制御をしたり、ファクシミリ伝送制御手順を実行するが、その制御プログラムは、ＲＯＭ２４に格納される。
【００２５】
２６は、バスである。
【００２６】
２８は、カードインターフェイスである。
【００２７】
３０は、コンパクトフラッシュ（登録商標）カードである。
【００２８】
図２には、既存、及び、本発明により、新規にＩＴＵ−Ｔ勧告Ｔ．３０に追加するプロトコルを表している。
【００２９】
ＤＩＳ／ＤＴＣ信号のＦＩＦの６８ビットにより、色空間ＬａｂでのＪＰＥＧ受信機能の有無を通知し、ＤＣＳ信号のＦＩＦの６８ビットにより、色空間ＬａｂでのＪＰＥＧ送信を指定をする。
【００３０】
また、ＤＩＳ／ＤＴＣ信号のＦＩＦの６９ビットにより、色空間はＬａｂであるフルカラー受信機能の有無を通知し、ＤＣＳ信号のＦＩＦの６９ビットにより、色空間はＬａｂであるフルカラー送信を指定をする。
【００３１】
ＤＩＳ／ＤＴＣ信号のＦＩＦのＸビットにより、色空間ｓＹＣＣでのＪＰＥＧ受信機能の有無を通知し、ＤＣＳ信号のＦＩＦのＸビットにより、色空間ｓＹＣＣでのＪＰＥＧ送信を指定をする。
【００３２】
また、ＤＩＳ／ＤＴＣ信号のＦＩＦのＸ＋１ビットにより、色空間はｓＹＣＣであるフルカラー受信機能の有無を通知し、ＤＣＳ信号のＦＩＦのＸ＋１ビットにより、色空間はｓＹＣＣであるフルカラー送信を指定をする。
【００３３】
２４は、カラーファイル情報を通信可能なファクシミリ装置おいて、受信機から送信機に、色空間ＬａｂでのＪＰＥＧ符号化情報の受信機能の有無を通知する手段、色空間がＬａｂであるフルカラー情報の受信機能の有無を通知する手段、色空間ｓＹＣＣでのＪＰＥＧ符号化情報の受信機能の有無を通知する手段、色空間がｓＹＣＣであるフルカラー情報の受信機能の有無を通知する手段、送信機から受信機に、色空間ＬａｂでのＪＰＥＧ符号化情報の送信を指定する手段、色空間がＬａｂであるフルカラー情報の送信を指定する手段、色空間ｓＹＣＣでのＪＰＥＧ符号化情報の送信を指定する手段、色空間がｓＹＣＣであるフルカラー情報の送信を指定する手段、外部記憶手段を有し、色空間ｓＹＣＣでのＪＰＥＧフルカラー情報を受信時は、外部記憶手段に受信情報を格納し、１通信の途中で、色空間ＬａｂでのＪＰＥＧフルカラー情報を受信に変更になった時は、受信情報をプリントするとともに、外部記憶手段に同一通信での受信がある旨を表示、あるいは、記録する。また、色空間ＬａｂでのＪＰＥＧフルカラー情報を受信時は、受信情報をプリントし、１通信の途中で、色空間ｓＹＣＣでのＪＰＥＧフルカラー情報を受信に変更になった時は、外部記憶手段に受信情報を格納するとともに、外部記憶手段に同一通信での受信がある旨を表示、あるいは、記録する。
【００３４】
同様に、色空間ｓＹＣＣでのＪＰＥＧフルカラー情報を受信時は、外部記憶手段に受信情報を格納し、１通信の途中で、モノクロ情報を受信に変更になった時は、受信情報をプリントするとともに、外部記憶手段に同一通信での受信がある旨を表示、あるいは、記録する。また、モノクロ情報を受信時は、受信情報をプリントし、１通信の途中で、色空間ｓＹＣＣでのＪＰＥＧフルカラー情報を受信に変更になった時は、外部記憶手段に受信情報を格納するとともに、外部記憶手段に同一通信での受信がある旨を表示、あるいは、記録する。
【００３５】
通信番号により、受信情報のプリント、及び、外部記憶手段への受信情報の格納の相関を明確にする。
【００３６】
以上の制御プログラムが格納されている。
【００３７】
図３、４、５、６、７、８、９には、ファクシミリ装置側の図１の制御の流れ図が図示されている。
【００３８】
図３において、Ｓ０は、始めを表している。
【００３９】
Ｓ２は、バス２６を介して、メモリ１８をイニシャライズする事を表している。
【００４０】
Ｓ４では、通信番号に０００１をセットする。
【００４１】
Ｓ６は、バス２６を介して、操作部の表示部をクリアする事を表している。
【００４２】
Ｓ８では、バス２６を介してＮＣＵ２のＣＭＬをオフする。
【００４３】
Ｓ１０では、受信が選択されたか否かが判断されＹＥＳであるとＳ１４に進み、ＮＯであるとＳ１２に進み、その他の処理をする。
【００４４】
Ｓ１４では、バス２６を介して、ＮＣＵ２のＣＭＬをオンする。
【００４５】
Ｓ１６は前手順を表している。ここで、ＤＩＳ信号のＦＩＦの６８、６９、Ｘ、Ｘ＋１ビットを１とする。
【００４６】
Ｓ１８では、ＤＣＳ信号のＦＩＦのＸビットが１であるか否かが判断され、ＹＥＳであるとＳ２０に進み、ＮＯであるとＳ５８に進む。
【００４７】
Ｓ２０では、ＤＣＳ信号のＦＩＦのＸ＋１ビットが１であるか否かが判断され、ＹＥＳであるとＳ２２に進み、ＮＯであるとＳ３４に進む。
【００４８】
Ｓ２２は、色空間ｓＹＣＣのＪＰＥＧフルカラー情報を受信し、コンパクトフラッシュ（登録商標）カードに格納する事を表している。
【００４９】
Ｓ２４では、１ページの受信が終了したか否かが判断され、ＹＥＳであるとＳ２６に進み、ＮＯであるとＳ２２に進む。
【００５０】
Ｓ２６は、中間手順を表している。
【００５１】
Ｓ２８では、次ページの受信があるか否かが判断され、ＹＥＳであるとＳ３０に進み、ＮＯであるとＳ３２に進む。
【００５２】
Ｓ３０では、モードチェンジがあるか否かが判断され、ＹＥＳであるとＳ１８に進み、ＮＯであるとＳ２２に進む。
【００５３】
Ｓ３２は、後手順を表している。
【００５４】
Ｓ３４は、色空間ｓＹＣＣのＪＰＥＧグレースケール情報を受信し、コンパクトフラッシュ（登録商標）カードに格納する事を表している。
【００５５】
Ｓ３６では、１ページの受信が終了したか否かが判断され、ＹＥＳであるとＳ３８に進み、ＮＯであるとＳ３４に進む。
【００５６】
Ｓ３８は、中間手順を表している。
【００５７】
Ｓ４０では、次ページの受信があるか否かが判断され、ＹＥＳであるとＳ４２に進み、ＮＯであるとＳ３２に進む。
【００５８】
Ｓ４２では、モードチェンジがあるか否かが判断され、ＹＥＳであるとＳ１８に進み、ＮＯであるとＳ３４に進む。
【００５９】
Ｓ４４では、バス２６を介してＮＣＵ２のＣＭＬをオフする。
【００６０】
Ｓ４６では、１通信の受信情報をコンパクトフラッシュ（登録商標）カードへの格納、及び、プリントの２つがあるか否かが判断され、ＹＥＳであるとＳ５２に進み、ＮＯであるとＳ４８に進む。
【００６１】
Ｓ４８では、１通信の受信情報はコンパクトフラッシュ（登録商標）カードへの格納のみであるか否かが判断され、ＹＥＳであるとＳ５０に進み、ＮＯであるとＳ５４に進む。
【００６２】
Ｓ５０は、通信番号に対応し、コンパクトフラッシュ（登録商標）カード受信である旨を記憶し、表示する事を表している。この表示は、基本的には、操作部からの通信履歴の表示が選択された時に実行する。また、最近の１００通信のみ通信履歴を記憶し古くなった情報は消去していく。
【００６３】
記憶内容は図１０に示す操作部からの選択で表示できる通信履歴の内容と同じである。図１０で、通信履歴は、アップダウンキー、ダウンキーで通信履歴の新しいもの、古いものの選択ができる。
【００６４】
Ｓ５２は、通信番号に対応し、コンパクトフラッシュ（登録商標）カード受信と受信プリントである旨を記憶し、表示する事を表している。この表示は、基本的には、操作部からの通信履歴の表示が選択された時に実行する。また、最近の１００通信のみ通信履歴を記憶し古くなった情報は消去していく。
【００６５】
Ｓ５４は、通信番号に対応し、受信プリントである旨を記憶し、表示する事を表している。この表示は、基本的には、操作部からの通信履歴の表示が選択された時に実行する。また、最近の１００通信のみ通信履歴を記憶し古くなった情報は消去していく。
【００６６】
Ｓ５６では、通信番号の値を１つインクリする。
【００６７】
Ｓ５８では、ＤＣＳ信号のＦＩＦの６８ビットが１であるか否かが判断され、ＹＥＳであるとＳ６０に進み、ＮＯであるとＳ８２に進む。
【００６８】
Ｓ６０では、ＤＣＳ信号のＦＩＦの６９ビットが１であるか否かが判断され、ＹＥＳであるとＳ６２に進み、ＮＯであるとＳ７２に進む。
【００６９】
Ｓ６２は、色空間ＬａｂのＪＰＥＧフルカラー情報を受信しプリントする事を表している。ここで、受信情報のプリント時に通信番号も合わせてプリントする。
【００７０】
Ｓ６４では、１ページの受信が終了したか否かが判断され、ＹＥＳであるとＳ６６に進み、ＮＯであるとＳ６２に進む。
【００７１】
Ｓ６６は、中間手順を表している。
【００７２】
Ｓ６８では、次ページの受信があるか否かが判断され、ＹＥＳであるとＳ７０に進み、ＮＯであるとＳ３２に進む。
【００７３】
Ｓ７０では、モードチェンジがあるか否かが判断され、ＹＥＳであるとＳ１８に進み、ＮＯであるとＳ６２に進む。
【００７４】
Ｓ７２は、色空間ＬａｂのＪＰＥＧグレースケール情報を受信しプリントする事を表している。ここで、受信情報のプリント時に通信番号も合わせてプリントする。
【００７５】
Ｓ７４では、１ページの受信が終了したか否かが判断され、ＹＥＳであるとＳ７６に進み、ＮＯであるとＳ７２に進む。
【００７６】
Ｓ７６は、中間手順を表している。
【００７７】
Ｓ７８では、次ページの受信があるか否かが判断され、ＹＥＳであるとＳ８０に進み、ＮＯであるとＳ３２に進む。
【００７８】
Ｓ８０では、モードチェンジがあるか否かが判断され、ＹＥＳであるとＳ１８に進み、ＮＯであるとＳ７２に進む。
【００７９】
Ｓ８２は、モノクロ２値情報を受信しプリントする事を表している。ここで、受信情報のプリント時に通信番号も合わせてプリントする。
【００８０】
Ｓ８４では、１ページの受信が終了したか否かが判断され、ＹＥＳであるとＳ８６に進み、ＮＯであるとＳ８２に進む。
【００８１】
Ｓ８６は、中間手順を表している。
【００８２】
Ｓ８８では、次ページの受信があるか否かが判断され、ＹＥＳであるとＳ９０に進み、ＮＯであるとＳ３２に進む。
【００８３】
Ｓ９０では、モードチェンジがあるか否かが判断され、ＹＥＳであるとＳ１８に進み、ＮＯであるとＳ８２に進む。
【００８４】
Ｓ９２では、操作部の情報を入力し、通信履歴の表示が選択されたか否かが判断され、ＹＥＳであるとＳ９４に進み、ＮＯであるとＳ８に進む。
【００８５】
Ｓ９４は、操作部の表示部に通信番号に対応し、通信結果、及び、受信情報の処理を表示する事を表している。ここで、表示の具体例を図１０に示す。また、アップキー、ダウンキーで通信番号に対応した通信結果の表示を切り替えれる。
【００８６】
【発明の効果】
第１、２の本発明によれば、１通信の受信の中で、色空間ＬａｂでのＪＰＥＧフルカラー情報を受信、及び、色空間ｓＹＣＣでのＪＰＥＧフルカラー情報を受信をした時、色空間ＬａｂでのＪＰＥＧフルカラー受信情報はプリントでき、色空間ｓＹＣＣでのＪＰＥＧフルカラー受信情報は、外部記憶手段に格納でき再利用が容易になり、しかもこれらの両者の関係が明確になり、ユーザにはとても使い易くなった。
【００８７】
第３、４の本発明によれば、１通信の受信の中で、モノクロ情報を受信、及び、色空間ｓＹＣＣでのＪＰＥＧフルカラー情報を受信をした時、モノクロ情報はプリントでき、色空間ｓＹＣＣでのＪＰＥＧフルカラー受信情報は、外部記憶手段に格納でき再利用が容易になり、しかもこれらの両者の関係が明確になり、ユーザにはとても使い易くなった。
【００８８】
第５の本発明によれば、１通信の受信の中で、モノクロ情報を受信、あるいは、色空間ＬａｂでのＪＰＥＧフルカラー情報、及び、色空間ｓＹＣＣでのＪＰＥＧフルカラー情報を受信をした時、モノクロ情報、あるいは、色空間ＬａｂでのＪＰＥＧフルカラー情報はプリントでき、色空間ｓＹＣＣでのＪＰＥＧフルカラー受信情報は、外部記憶手段に格納でき再利用が容易になり、しかもこれらの両者の関係を明確にする方法の具体的提供が可能になり、ユーザにはとても使い易くなった。
【図面の簡単な説明】
【図１】本発明によるファクシミリ装置の実施例のブロック図
【図２】本発明によるプロトコルの具体例
【図３】本発明による制御の流れ図
【図４】本発明による制御の流れ図
【図５】本発明による制御の流れ図
【図６】本発明による制御の流れ図
【図７】本発明による制御の流れ図
【図８】本発明による制御の流れ図
【図９】本発明による制御の流れ図
【図１０】通信履歴の表示の具体例
【符号の説明】
２　ＮＣＵ
４　電話機
６　ハイブリッド回路
８　変復調器
１０　発呼回路
１２　加算回路
１４　読み取り回路
１６　記録回路
１８　メモリ回路
２０　操作部
２２　ＣＰＵ
２４　ＲＯＭ
２６　バス
２８　カードインターフェイス
３０　コンパクトフラッシュ（登録商標）カード
【図１】
2004147149.tif 000003
【図２】
2004147149.tif 000004
【図３】
2004147149.tif 000005
【図４】
2004147149.tif 000006
【図５】
2004147149.tif 000007
【図６】
2004147149.tif 000008
【図７】
2004147149.tif 000009
【図８】
2004147149.tif 000010
【図９】
2004147149.tif 000011
【図１０】
2004147149.tif 000012